【手続補正書】
【提出日】令和1年11月29日(2019.11.29)
【手続補正１】
【補正対象書類名】特許請求の範囲
【補正対象項目名】全文
【補正方法】変更
【補正の内容】
【特許請求の範囲】
【請求項１】
マイクロ流体カートリッジと、関連するマイクロ流体オペレータシステムとを備えるマイクロ流体分析システムであって、前記マイクロ流体カートリッジが第１の面及び第２の対向面を有するベース部を備え、前記ベース部が前記第１の面の凹部と、前記ベース部に固定されて前記凹部を覆いかつ前記マイクロ流体カートリッジの箔面を形成する箔とを有し、前記凹部及び前記箔を有する前記ベース部が流路及びシンクを形成し、前記流路が長さを有しかつ反応部と上流端及び下流端とを備え、前記シンクが前記反応部の下流の流路と流体連通し、前記マイクロ流体カートリッジが前記反応部の上流の前記流路への入口開口部を備え、
前記オペレータシステムがピストン、温度調節素子、アクチュエータを備え、前記マイクロ流体カートリッジの前記箔面が前記温度調節素子と近接する前記反応部で前記作業システムと接して配置されるように構成され、前記アクチュエータが前記シンク部と関連付けられて前記シンク部を覆う前記箔を押圧し、前記ピストンが上流バルブ部で前記流路と関連付けられて前記箔を押圧し、前記反応部の上流の流路を閉鎖する、マイクロ流体分析システム。
【請求項２】
前記オペレータシステムが、少なくとも前記反応部が前記温度調節素子に近接して保持されるときに傾斜するように、前記マイクロ流体カートリッジを保持するように構成され、好ましくは、前記反応部の少なくとも中心軸が、たとえば、少なくとも約３度、少なくとも約５度、約１０〜約４５度、約１５〜約３０度の傾斜角で、水平面に対して傾斜する、請求項１に記載のマイクロ流体分析システム。
【請求項３】
前記流路への前記入口開口部が、前記上流端に配置され、好ましくは、前記入口開口部が前記ベース部を貫通する孔によって提供される、請求項１又は２に記載のマイクロ流体分析システム。
【請求項４】
前記流路の前記バルブ部がバルブシートを備え、前記バルブシートが、好ましくは、前記ベース部の前記第１の表面に尾根構造を備え、前記尾根構造が前記凹部の前記ベース部の前記第１の表面から突出しかつ前記凹部の少なくとも一部と交差し、好ましくは、前記ピストンがピストンヘッドを備え、前記ピストンヘッドが、前記流路の前記バルブ部で前記凹部と嵌合して前記流路を閉鎖するように成形される、請求項１〜３のうちいずれか一項に記載のマイクロ流体分析システム。
【請求項５】
前記上流バルブ部が前記ピストンによって閉鎖されると、前記上流バルブ部及び前記シンクの下流の前記流路が閉鎖容積を構成し、前記流路が下流バルブ部を備え、前記オペレータシステムが前記下流バルブ部用の関連するピストンを備え、好ましくは、前記下流バルブ部が前記上流バルブ部のように成形される、請求項１〜４のうちいずれか一項に記載のマイクロ流体分析システム。
【請求項６】
前記反応部がターゲット用の捕捉プローブを備え、前記捕捉プローブが、好ましくは、前記流路の前記反応部内で表面に固定され、例えば、前記箔及び／又は前記ベース部の前記第１の面に固定される、請求項１〜５のうちいずれか一項に記載のマイクロ流体分析システム。
【請求項７】
前記反応部内の前記ベース部及び又は前記箔が少なくとも１つの光学素子を備え、前記光学素子が、好ましくは、前記ベース部の前記第１の面の近傍で蛍光体からの放射光の方向を変えるか、好ましくは、平行化するように構成され、好ましくは、前記光学素子が、前記ベース部の前記第１の面に固定されるターゲット用の捕捉プローブを備える、請求項１〜６のうちいずれか一項に記載のマイクロ流体分析システム。
【請求項８】
前記光学素子がレンズ構造及び／又は超臨界角蛍光構造（ＳＡＦ構造）を備え、前記ＳＡＦ構造が、好ましくは、上面を有し、好ましくは、前記ＳＡＦ構造が前記ベース部の一体部分であり、好ましくは、前記残りのベース部と同一の材料からなる、請求項７に記載のマイクロ流体分析システム。
【請求項９】
前記ＳＡＦ構造が、前記箔に向かって突出しその上面が前記箔に対面する錐台形状を有し、前記捕捉プローブが、好ましくは、前記上面に対して固定され、前記上面が、好ましくは、少なくとも約０．０１ｍｍ２、たとえば、約０．０２ｍｍ２〜約１ｍｍ２、約０．０３ｍｍ２〜約０．８ｍｍ２、約０．０５ｍｍ２〜約０．５ｍｍ２の面積を有する、請求項８に記載のマイクロ流体分析システム。
【請求項１０】
前記ＳＡＦ構造が１．３３よりも高い屈折率、たとえば、少なくとも約１．４、約１．４５〜約１．６５の屈折率を有し、前記反応部がＳＡＦ構造などの複数の前記光学素子を備える、請求項８又は９に記載のマイクロ流体分析システム。
【請求項１１】
前記温度制御素子がペルティエ素子などの熱電気素子であり、好ましくは、
前記熱電気素子が選択された時間構成で冷却及び加熱の両方で動作可能である、請求項１〜１０のうちいずれか一項に記載のマイクロ流体分析システム。
【請求項１２】
前記オペレータシステムが、前記ピストン、前記温度調節素子及び前記アクチュエータから選択される少なくとも１つのオペレータ素子の動作を制御するために構成されるコンピュータシステムを備え、前記コンピュータシステムは、好ましくは、前記オペレータ素子の動作を制御するためのソフトウェアを記憶するメモリを備える、請求項１〜１１のうちいずれか一項に記載のマイクロ流体分析システム。
【請求項１３】
前記コンピュータが分析手順を実行するようにプログラミングされ、前記分析手順が、好ましくは、前記アクティベータを始動して前記シンク部を覆う箔を押圧することと、前記アクティベータを始動して前記シンク部を覆う箔を少なくとも部分的に解放することと、前記ピストンを始動して前記上流バルブ部を閉鎖することと、前記温度調節素子を始動して、所定の温度計画にしたがって前記反応部内のサンプルの温度を調節することとを含む、請求項１２に記載のマイクロ流体分析システム。
【請求項１４】
マイクロ流体カートリッジであって、第１の面と第２の対向面を有するベース部を備え、前記ベース部が前記第１の面の凹部と、前記ベース部に固定されて前記凹部を覆いかつマイクロ流体カートリッジ箔面を提供する箔とを有し、前記凹部及び前記箔を有する前記ベース部が流路とシンクを形成し、前記流路が長さを有し、反応部と前記反応部に対する上流端及び下流端とを備え、前記シンクが前記シンクの下流の流路と流体連通し、前記マイクロ流体カートリッジが前記反応部の上流の流路への入口開口部を備え、前記流路が前記入口開口部と前記反応部との間に上流バルブ部を備え、前記流路の前記バルブ部がバルブシートを備え、前記バルブシートが、好ましくは、前記ベース部の前記第１の表面で尾根構造を備え、前記尾根構造が、前記凹部の前記ベース部の前記第１の表面から突出しかつ前記凹部の少なくとも一部に交差する、マイクロ流体カートリッジ。
【請求項１５】
前記尾根構造が、前記流路にほぼ垂直な方向に延在し、前記バルブシートが、前記ピストンを封止するか、好ましくは、前記ピストンのピストンヘッドを封止する封止部を備える、請求項１４に記載のマイクロ流体カートリッジ。
【請求項１６】
前記反応部がターゲット用捕捉プローブを備え、前記反応部内の前記ベース部及び又は前記箔が少なくとも１つの光学素子を備え、前記光学素子が、好ましくは、レンズ構造及び／又は超臨界角蛍光構造（ＳＡＦ構造）を備え、前記ＳＡＦ構造が、好ましくは、上面を有する、請求項１４又は１５に記載のマイクロ流体カートリッジ。
【請求項１７】
前記ＳＡＦ構造が、前記ベース部の残りの部分に部分的に埋め込まれ又は装着された前記ベース部の一体部分であり、
前記ＳＡＦ構造が、前記箔に向かって突出しその上面が前記箔に対面する錐台形状を有し、前記捕捉プローブが、好ましくは、前記上面に対して固定され、前記上面が、好ましくは、少なくとも約０．０１ｍｍ２、たとえば、約０．０２ｍｍ２〜約１ｍｍ２、約０．０３ｍｍ２〜約０．８ｍｍ２、約０．０５ｍｍ２〜約０．５ｍｍ２の面積を有する、請求項１６に記載のマイクロ流体カートリッジ。
【請求項１８】
請求項１〜１３のうちいずれか一項に記載のマイクロ流体分析システムを用いる分析実行方法であって、
前記反応部が前記温度調節素子に近接するように前記オペレータシステムに前記マイクロ流体カートリッジを適用し、前記アクチュエータが前記シンク部に関連付けられて前記シンク部を覆う前記箔を押圧し、前記ピストンが上流バルブ部で前記流路に関連付けられて前記箔を押圧し、前記反応部の上流の流路を閉鎖することと、
前記アクティベータを始動して、前記シンク部を覆う前記箔を押圧することによって、前記シンクから流体（たとえば、気体）を押し出すことと、
流路の入口でサンプルを加えることと、
前記アクティベータを始動して、前記シンク部を覆う前記箔を少なくとも部分的に解放することによって、前記サンプルを吸引する、好ましくは、前記サンプルが前記反応部を少なくとも部分的に満たすことと、
前記ピストンを始動して、前記上流バルブ部を閉鎖することと、
前記アクティベータを始動して前記シンク部を覆う前記箔を押圧することによって、前記箔の押圧がなかった場合よりも高い圧力を前記反応部に加えることと、
前記温度調節素子を始動して、所定の温度計画にしたがって前記反応部内の前記サンプルの温度を調節することと
を備える、分析実行方法。
【請求項１９】
前記流路が下流バルブ部を備え、前記オペレータシステムが前記下流バルブ部用の関連するピストンを備え、該方法が、前記関連するピストンを始動して、前記下流バルブ部を閉鎖することを備え、前記下流バルブ部が、好ましくは、前記反応部での圧力印加後に閉鎖される、請求項１８に記載の分析実行方法。